(57)【要約】      （修正有）【課題】電池モジュールの冷却性を高めることができ、外部端子の温度上昇を低減する電池装置を提供する。【解決手段】電池装置１は、複数の電池モジュール３と第一覆部５ｃと第二覆部５ｄとを備える。電池モジュールは、第一筐体１０の棚部に支持され、棚部の奥行に沿う第一方向に互いに間隔をあけて並べられる。第一覆部と電池モジュールとの間には、第一覆部に沿って延び第一方向の一端部Ｐ１ａが閉じられ第一方向の他端部Ｐ１ｂが流体の第一導入口５ｓと接続された導入通路Ｐ１が設けられ、第二覆部と電池モジュールとの間には、第二覆部に沿って延び第一方向の他端部Ｐ２ｂが閉じられ第一方向の一端部Ｐ２ａが流体の第一排出口５ｔと接続された排出通路Ｐ２が設けられ、第一方向に隣接した二つの電池モジュールの間には、導入通路と排出通路との間に亘って延びた中間通路Ｐ３、Ｐ４が設けられる。【選択図】図１
2019145245.tif 000002
【特許請求の範囲】
【請求項１】
それぞれが第一筐体の棚部に支持され、前記棚部の奥行に沿う第一方向に互いに間隔をあけて並べられた複数の電池モジュールと、
前記電池モジュールにおける前記第一方向と交差した第二方向の一端面に沿って延び、前記電池モジュールのそれぞれの前記一端面と間隔をあけて面した第一覆部と、
前記電池モジュールにおける前記第二方向の他端面に沿って延び、前記電池モジュールのそれぞれの前記他端面と間隔をあけて面した第二覆部と、
を備え、
前記第一覆部と前記電池モジュールとの間には、前記第一覆部に沿って延び前記第一方向の一端部が閉じられ前記第一方向の他端部が流体の第一導入口と接続された導入通路が設けられ、
前記第二覆部と前記電池モジュールとの間には、前記第二覆部に沿って延び前記第一方向の他端部が閉じられ前記第一方向の一端部が流体の第一排出口と接続された排出通路が設けられ、
前記第一方向に隣接した二つの前記電池モジュールの間には、前記導入通路と前記排出通路との間に亘って延びた中間通路が設けられた、電池装置。
【請求項２】
前記第一覆部および前記第二覆部を有し、前記第一導入口および前記第一排出口が設けられ、前記複数の電池モジュールを収容した第二筐体を備えた、請求項１に記載の電池装置。
【請求項３】
前記複数の電池モジュールを収容した第二筐体と、
前記第一覆部および前記第二覆部のうち少なくとも一方を有した前記第一筐体と、
を備え、
前記第二筐体には、前記第一覆部側から当該第二筐体内に流体を導入可能な第一開口部、および当該第二筐体から前記第二覆部側に流体を排出可能な第二開口部のうち少なくとも一方が設けられた、請求項１に記載の電池装置。
【請求項４】
前記電池モジュールは、
複数の電池セルと、
前記複数の電池セルを収容した第三筐体と、
前記複数の電池セルと電気的に接続され、前記第三筐体から前記導入通路内に突出した状態に設けられた出力端子部と、
を有した、請求項１〜３のうちいずれか一つに記載の電池装置。
【請求項５】
前記第一筐体には、当該第一筐体内に流体を導入可能な第二導入口と、前記第一導入口と前記第二導入口とを接続する接続通路と、が設けられ、
前記複数の電池モジュールの出力端子部と電気的に接続され、前記接続通路に臨んで位置された外部接続端子を備えた、請求項１〜４のうちいずれか一つに記載の電池装置。
【請求項６】
前記第一筐体には、前記第一排出口と連通する第二排出口が設けられ、
前記第一排出口の周縁部と前記第二排出口の周縁部とが、シール部材を介して互いに結合された、請求項１〜５のうちいずれか一つに記載の電池装置。
【発明の詳細な説明】
【技術分野】
【０００１】
本発明の実施形態は、電池装置に関する。
【背景技術】
【０００２】
従来、それぞれが筐体の棚部に支持され、棚部の奥行に沿う第一方向に並べられた複数の電池モジュールを備え、第一方向に沿って延びる流体の冷却通路が設けられた電池装置が、知られている。
【先行技術文献】
【特許文献】
【０００３】
【特許文献１】特開２０１２−８４４８６号公報
【発明の概要】
【発明が解決しようとする課題】
【０００４】
この種の電池装置では、例えば、複数の電池モジュールの冷却性を高めることができ、外部端子の温度上昇を低減する等、改善された新規な構成が得られれば、好ましい。
【課題を解決するための手段】
【０００５】
実施形態の電池装置は、例えば、複数の電池モジュールと、第一覆部と、第二覆部と、を備える。複数の電池モジュールは、それぞれが第一筐体の棚部に支持され、棚部の奥行に沿う第一方向に互いに間隔をあけて並べられる。第一覆部は、電池モジュールにおける第一方向と交差した第二方向の一端面に沿って延び、電池モジュールのそれぞれの一端面と間隔をあけて面する。第二覆部は、電池モジュールにおける第二方向の他端面に沿って延び、電池モジュールのそれぞれの他端面と間隔をあけて面する。第一覆部と電池モジュールとの間には、第一覆部に沿って延び第一方向の一端部が閉じられ第一方向の他端部が流体の第一導入口と接続された導入通路が設けられ、第二覆部と電池モジュールとの間には、第二覆部に沿って延び第一方向の他端部が閉じられ第一方向の一端部が流体の第一排出口と接続された排出通路が設けられ、第一方向に隣接した二つの電池モジュールの間には、導入通路と排出通路との間に亘って延びた中間通路が設けられる。
【図面の簡単な説明】
【０００６】
【図１】図１は、第１実施形態の電池装置の例示的かつ模式的な断面図であって、図３のI−I断面図である。
【図２】図２は、第１実施形態の電池装置の電池セルの例示的かつ模式的な斜視図である。
【図３】図３は、図１のIII−III断面図である。
【図４】図４は、図１のIV−IV断面図である。
【図５】図５は、第２実施形態の電池装置の例示的かつ模式的な断面図である。
【図６】図６は、図５のVI−VI断面図である。
【発明を実施するための形態】
【０００７】
以下、本発明の例示的な実施形態が開示される。以下に示される実施形態の構成、ならびに当該構成によってもたらされる作用および効果は、一例である。なお、本明細書では、序数は、部品や部材を区別するためだけに用いられており、順番や優先度を示すものではない。
【０００８】
また、以下に開示される複数の実施形態には、同様の構成要素が含まれる。よって、以下では、それら同様の構成要素には共通の符号が付与されるとともに、重複する説明が省略される。
【０００９】
［第１実施形態］
図１は、電池装置１の断面図であって、図３のI−I断面図である。なお、以下の各図では、便宜上、互いに直交する三方向が定義されている。Ｘ方向は、ラック筐体１０の奥行方向（前後方向）に沿い、Ｙ方向は、ラック筐体１０の幅方向（左右方向）に沿い、Ｚ方向は、ラック筐体１０の高さ方向（上下方向）に沿う。Ｘ方向は、第一方向の一例であり、Ｙ方向は、第二方向の一例である。なお、以下の説明では、Ｘ方向、Ｙ方向、およびＺ方向のそれぞれの正側（矢印の先端側）を一方と称し、負側を他方と称する。
【００１０】
図１に示されるように、電池装置１は、例えば、複数の電池モジュール３と、パック筐体５と、外部接続端子８と、を有した電池パック４を備えている。パック筐体５は、複数の電池モジュール３を収容し、外部接続端子８は、複数の電池モジュール３の出力端子部７とバスバー等の導電部材を介して電気的に接続されている。本実施形態では、例えば、複数の電池パック４がラック筐体１０の各棚部１５に設置され、これら複数の電池パック４が直列あるいは並列に接続されることによって電池装置１が構成されている。ラック筐体１０は、第一筐体の一例であり、パック筐体５は、第二筐体の一例である。また、電池パック４は、電池装置の一例である。
【００１１】
電池装置１は、種々の装置や、機械、設備等に設置され、それら種々の装置や、機械、設備等の電源として使用される。例えば、電池装置１は、自動車の電源等、移動型の電源としても使用される他、例えば、ＰＯＳ（Point  Of  Sales）システム用の電源等、定置型の電源としても使用されうる。また、種々の装置等には、複数の、本実施形態で示される電池装置１を、直列あるいは並列に接続したセットとして搭載することもできる。電池装置１は、電池ラックや、電池システム等とも称される。
【００１２】
ラック筐体１０は、Ｘ方向に短い偏平な直方体状の箱型に構成されている。ラック筐体１０は、例えば、収容部１１と、扉１２と、を有している。収容部１１は、ラック筐体１０の後壁１０ｂや、側壁１０ｃ、底壁（不図示）、天壁（不図示）等を有し、扉１２は、ラック筐体１０の前壁１０ａ等を有する。収容部１１には、後壁１０ｂ、側壁１０ｃ、底壁、および天壁によって囲まれ、Ｘ方向の他方に向けて開放された開口部１０ｒが設けられている。
【００１３】
また、収容部１１には、複数の仕切壁１０ｇがＺ方向（図１では紙面と垂直な方向）に互いに間隔をあけて設けられている。仕切壁１０ｇは、いずれも、ラック筐体１０の底壁と天壁との間に位置され、前壁１０ａと後壁１０ｂとの間、および一対の側壁１０ｃの間に亘っている。仕切壁１０ｇは、開口部１０ｒをＺ方向に複数の空間（室）としての棚部１５に仕切っている。各棚部１５には、例えば、それぞれ三つの電池パック４がＹ方向に並んで収容されている。仕切壁１０ｇは、側壁１０ｃに固定あるいは引出可能に支持されうる。
【００１４】
扉１２は、収容部１１のＸ方向の他方に位置され、開口部１０ｒを覆っている。扉１２は、収容部１１に、扉１２のＹ方向の一方の一端部（Ｚ方向）に沿って延びる回転軸を有したヒンジ部を介して、回転可能に支持されている。扉１２は、回転軸回りに回転することで、開口部１０ｒを閉じる閉位置（図１参照）と、開口部１０ｒを開放する開位置（不図示）との間で、移動可能である。
【００１５】
また、扉１２には、ラック筐体１０内に流体（冷却風）を導入可能な導入口１０ｓが設けられている。導入口１０ｓは、扉１２をＸ方向に貫通するとともに、少なくともＹ方向に延びた長穴である。導入口１０ｓは、各棚部１５と連通するようにＺ方向に間欠的に設けられてもよいし、Ｚ方向に一体的に設けられてもよい。なお、扉１２には、導入口１０ｓを覆うメッシュやフィルタ等の覆部材が設けられうる。導入口１０ｓは、第二導入口の一例である。
【００１６】
また、収容部１１の後壁１０ｂには、複数の電池モジュール３と熱交換を行った流体をラック筐体１０外に排出可能な排出口１０ｔが設けられている。排出口１０ｔは、後述するパック筐体５の排出口５ｔと対応する位置に設けられている。排出口１０ｔは、後壁１０ｂをＸ方向に貫通するとともに、Ｚ方向に延びた長穴である。排出口１０ｔは、第二排出口の一例である。
【００１７】
パック筐体５は、例えば、Ｚ方向に短い偏平な直方体状の箱型に構成されている。パック筐体５は、前壁５ａや、後壁５ｂ、左壁５ｃ、右壁５ｄ、底壁５ｅ、天壁５ｆ（図３参照）等の複数の壁部を有する。底壁５ｅおよび天壁５ｆは、いずれも、Ｚ方向と直交する方向（ＸＹ平面）に沿って延びており、Ｚ方向に間隔をあけて互いに平行に設けられている。
【００１８】
前壁５ａおよび後壁５ｂ（図１参照）は、いずれも、Ｘ方向と直交する方向（ＹＺ平面）に沿って延びており、Ｘ方向に間隔をあけて互いに平行に設けられている。前壁５ａは、底壁５ｅおよび天壁５ｆのＸ方向の他端部の間に亘り、後壁５ｂは、底壁５ｅおよび天壁５ｆのＸ方向の一端部の間に亘っている。
【００１９】
また、前壁５ａのＹ方向の一端部には、導入口５ｓが設けられ、後壁５ｂのＹ方向の他端部には、排出口５ｔが設けられている。導入口５ｓおよび排出口５ｔは、パック筐体５において、対角線上に位置されている。導入口５ｓおよび排出口５ｔは、前壁５ａおよび後壁５ｂをＸ方向に貫通するとともに、Ｚ方向に延びた長穴である。導入口５ｓは、ラック筐体１０の導入口１０ｓと連通し、排出口５ｔは、ラック筐体１０の排出口１０ｔと連通している。導入口５ｓは、第一導入口の一例であり、排出口５ｔは、第一排出口の一例である。
【００２０】
左壁５ｃおよび右壁５ｄは、いずれも、Ｙ方向と直交する方向（ＸＺ平面）に沿って延びており、Ｙ方向に間隔をあけて互いに平行に設けられている。左壁５ｃは、前壁５ａ、後壁５ｂ、底壁５ｅ、および天壁５ｆのＹ方向の一端部の間に亘り、右壁５ｄは、前壁５ａ、後壁５ｂ、底壁５ｅ、および天壁５ｆのＹ方向の他端部の間に亘っている。前壁５ａ、後壁５ｂ、左壁５ｃ、および右壁５ｄは、側壁や周壁等とも称される。
【００２１】
また、左壁５ｃと電池モジュール３のそれぞれのＹ方向の一端面６ｄ１との間には、隙間としての導入通路Ｐ１が設けられている。導入通路Ｐ１は、左壁５ｃおよび一端面６ｄ１に沿って、すなわちＸ方向およびＺ方向に沿って、広がっている。導入通路Ｐ１におけるＸ方向の一端部Ｐ１ａは、後壁５ｂによって閉じられており、Ｘ方向の他端部Ｐ１ｂは、導入口５ｓと接続されている。左壁５ｃは、第一覆部の一例である。
【００２２】
また、右壁５ｄと電池モジュール３のそれぞれのＹ方向の他端面６ｆ１との間には、隙間としての排出通路Ｐ２が設けられている。排出通路Ｐ２は、右壁５ｄおよび他端面６ｆ１に沿って、すなわちＸ方向およびＺ方向に沿って、広がっている。排出通路Ｐ２におけるＸ方向の他端部Ｐ２ｂは、前壁５ａによって閉じられており、Ｘ方向の一端部Ｐ２ａは、排出口５ｔと接続されている。左壁５ｃは、第一覆部の一例である。
【００２３】
外部接続端子８は、前壁５ａからＸ方向の他方、すなわち導入口１０ｓ側に突出した状態に設けられている。外部接続端子８は、前壁５ａと前壁１０ａとの間に設けられ、導入口５ｓと導入口１０ｓとを接続する接続通路Ｐ６に臨んでいる。また、外部接続端子８は、導入口５ｓの近くでＹ方向に並んでいる。一対の外部接続端子８のうち一方は、正極端子であり、他方は、負極端子である。なお、パック筐体５は、例えば、底壁５ｅや、前壁５ａ、後壁５ｂ、左壁５ｃ、右壁５ｄ等を有した第一部品と、天壁５ｆ等を有した第二部品と、によって構成されうる。
【００２４】
電池モジュール３は、例えば、複数の電池セル２と、モジュール筐体６と、出力端子部７と、を有している。モジュール筐体６は、複数の電池セル２を収容し、出力端子部７は、複数の電池セル２の電極部とバスバー等の導電部材を介して電気的に接続されている。モジュール筐体６は、第三筐体の一例である。電池モジュール３は、電池ユニットや、組電池等とも称され、電池セル２は、単電池等とも称される。なお、電池モジュール３に含まれる電池セル２の数や配置等は、本実施形態で開示されるものには限定されない。
【００２５】
電池セル２は、例えば、リチウムイオン二次電池等で構成されうる。なお、電池セル２は、ニッケル水素電池や、ニッケルカドミウム電池等、他の二次電池であってもよい。リチウムイオン二次電池は、非水電解質二次電池の一種であり、電解質中のリチウムイオンが電気伝導を担う。正極材料としては、例えば、リチウムマンガン複合酸化物や、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、ニオブ複合酸化物等の酸化物材料等が用いられる。また、電解質（例えば、電解液）としては、フッ素系錯塩（例えばＬｉＢＦ４、ＬｉＰＦ６）等のリチウム塩が配合された、例えば、炭酸エチレンや、炭酸プロピレン、炭酸ジエチル、炭酸エチルメチル、炭酸ジメチル等の有機溶媒等が単独であるいは複数混合されて用いられる。
【００２６】
図２は、電池セル２の斜視図である。図２に示されるように、電池セル２は、セル筐体２０と、正極端子２３と、負極端子２４と、を有する。セル筐体２０は、例えば、アルミニウム等の金属材料によって構成されている。電池セル２は、所謂角型缶タイプのものであり、缶セル等とも称される。正極端子２３および負極端子２４は、電極部の一例であり、セル筐体２０は、第四筐体の一例である。
【００２７】
セル筐体２０は、例えば、セルケース２１と、蓋２２と、を有する。セルケース２１は、Ｚ方向の一方が開放された直方体状の箱型に構成されている。蓋２２は、長方形状の板状に構成され、セルケース２１の開放された部分を塞いでいる。セルケース２１と蓋２２とは、例えば、溶接等によって互いに結合され、結合された部分から液体や気体等が漏れるのが抑制されている。セルケース２１は、第一筐体部材や、下ケース等とも称され、蓋２２は、第二筐体部材や、上ケース、カバー等とも称される。
【００２８】
また、セル筐体２０の内部には、例えば、電極体や、電解液等が収容されている。電極体は、例えば、正極シートと、負極シートと、絶縁層（セパレータ）と、を有する。電極体は、正極シート、負極シート、および絶縁層が巻回されて、扁平形状に構成されうる。電極体は、電極群であって発電要素として機能する。
【００２９】
正極端子２３は、セル筐体２０内で電極体の正極シートと電気的に接続され、負極端子２４は、セル筐体２０内で電極体の負極シートと電気的に接続されている。なお、蓋２２の正極端子２３と負極端子２４との間には、弁部が設けられうる。弁部は、セル筐体２０内の圧力が閾値よりも高くなった場合に開放され、当該セル筐体２０内の圧力を低下させる。
【００３０】
また、セル筐体２０は、端子面２０ａや、底面２０ｂ、側面２０ｃ〜２０ｆ等の互いに別の方向を向いた複数の面（外面）を有する。端子面２０ａは、Ｚ方向の一方を向き、底面２０ｂは、Ｚ方向の他方を向いている。端子面２０ａには、正極端子２３および負極端子２４が露出している。端子面２０ａは、上面等とも称され、底面２０ｂは、下面等とも称される。端子面２０ａおよび底面２０ｂは、Ｚ方向の視線では、Ｙ方向に長い長方形状に構成されている。
【００３１】
側面２０ｅは、Ｘ方向の一方を向き、側面２０ｃは、Ｘ方向の他方を向いている。また、側面２０ｄは、Ｙ方向の一方を向き、側面２０ｆは、Ｙ方向の他方を向いている。側面２０ｄ，２０ｆは、短側面等とも称され、側面２０ｃ，２０ｅは、長側面等とも称される。
【００３２】
図１に示されるように、複数の電池セル２は、モジュール筐体６内において、例えば、三列に並べられている。具体的には、モジュール筐体６には、Ｘ方向に並ぶ四つの電池セル２を有した列Ｌ１と、列Ｌ１のＹ方向の一方に位置されＸ方向に並ぶ四つの電池セル２を有した列Ｌ２と、列Ｌ２のＹ方向の一方に位置されＸ方向に並ぶ四つの電池セル２を有した列Ｌ３と、が設けられている。複数の電池セル２は、それぞれの端子面２０ａが同じ方向（Ｚ方向の一方）を向き、かつそれぞれの端子面２０ａの長手方向が同じ方向（Ｙ方向）に沿うように配置されている。列Ｌ１は、第一列の一例であり、列Ｌ２は、第二列の一例であり、列Ｌ２は、第三列の一例である。
【００３３】
図３は、図１のIII−III断面図である。図１，３に示されるように、モジュール筐体６は、Ｘ方向に短い偏平な直方体状の箱型に構成されている。モジュール筐体６は、例えば、モジュールケース３１と、ミドルカバー３２（図３参照）と、トップカバー３３（図３参照）と、を有する。モジュールケース３１は、モジュール筐体６の底壁６ａや、左壁６ｄおよび右壁６ｆの一部（下側部分）、前壁６ｃおよび後壁６ｅ（図１参照）の一部（下側部分）等を有する。
【００３４】
ミドルカバー３２（図３参照）は、モジュール筐体６の仕切壁６ｇや、左壁６ｄおよび右壁６ｆの一部（上側部分）、前壁６ｃおよび後壁６ｅの一部（上側部分）等を有する。ミドルカバー３２は、モジュールケース３１における電池セル２の収容部分を塞ぎ、モジュールケース３１と一体化される。モジュールケース３１とミドルカバー３２とは、例えば、結合具や、溶接、接着剤等によって互いに結合されうる。なお、仕切壁６ｇには、電池セル２の正極端子２３および負極端子２４が貫通する開口部が設けられうる。
【００３５】
トップカバー３３（図３参照）は、モジュール筐体６の天壁６ｂ等を有する。トップカバー３３は、ミドルカバー３２における発熱部品１７の収容部分を塞ぎ、ミドルカバー３２と一体化される。ミドルカバー３２とトップカバー３３とは、例えば、結合具や、溶接、接着剤等によって互いに結合されうる。発熱部品１７は、例えば、電池セル２の電圧や温度を監視するための監視基板や、電池制御のための制御基板等である。なお、発熱部品１７は、この例には限定されず、例えば、複数の電池セル２を直列や並列に電気的に接続するためのバスバー等を含む。
【００３６】
モジュール筐体６は、例えば、変性ＰＰＥ（ポリフェニレンエーテル）や、ＰＦＡ（パーフルオロアルコキシアルカン、テトラフルオロエチレン・パーフルオロアルキルビニルエーテル共重合体）等の絶縁性を有した合成樹脂材料で構成されている。また、モジュール筐体６の合成樹脂材料としては、熱可塑性樹脂を用いることができ、例えば、ＰＥや、ＰＰ、ＰＭＰ等のオレフィン樹脂、ＰＥＴや、ＰＢＴ、ＰＥＮ等のポリエステル系樹脂、ＰＯＭ樹脂、ＰＡ６、ＰＡ６６、ＰＡ１２等のポリアミド系樹脂、ＰＰＳ樹脂、ＬＣＰ樹脂等の結晶性樹脂およびそれらのアロイ樹脂、あるいは、ＰＳや、ＰＣ、ＰＣ／ＡＢＳ、ＡＢＳ、ＡＳ、ＰＥＳ、ＰＥＩ、ＰＳＦ等の非結晶性樹脂およびそれらのアロイ樹脂を、用いることができる。
【００３７】
出力端子部７は、左壁６ｄからＹ方向の一方、すなわち導入通路Ｐ１内に突出した状態に設けられている。出力端子部７（図１参照）は、Ｘ方向に並んでいる。一対の出力端子部７のうち一方は、正極端子であり、他方は、負極端子である。なお、導入通路Ｐ１には、複数の出力端子部７を直列や並列に電気的に接続するためのバスバー等も配置されうる。
【００３８】
図４は、図１のIV−IV断面図である。図１，４に示されるように、複数の電池モジュール３は、互いにＸ方向に隙間としての中間通路Ｐ３をあけた状態で、パック筐体５に支持されている。中間通路Ｐ３は、電池モジュール３の前壁６ｃおよび後壁６ｅに沿って、すなわちＹ方向およびＺ方向に沿って、広がっている。中間通路Ｐ３におけるＹ方向の一端部は、導入通路Ｐ１と接続され、Ｙ方向の他端部は、排出通路Ｐ２と接続されている。
【００３９】
また、パック筐体５における前壁５ａと電池モジュール３との間、および後壁５ｂと電池モジュール３との間には、それぞれ隙間としての中間通路Ｐ４が設けられている。中間通路Ｐ４は、前壁５ａ，６ｃおよび後壁５ｂ，６ｅに沿って、すなわちＹ方向およびＺ方向に沿って、広がっている。中間通路Ｐ４のＹ方向の一端部は、導入通路Ｐ１と接続され、Ｙ方向の他端部は、排出通路Ｐ２と接続されている。本実施形態では、二つの電池モジュール３に臨む中間通路Ｐ３のＸ方向に沿った幅は、一つの電池モジュール３に臨む中間通路Ｐ４のＸ方向に沿った幅よりも大きく設定されている。
【００４０】
また、パック筐体５における底壁５ｅと電池モジュール３との間には、それぞれガイド部材１８（図４参照）が設けられている。ガイド部材１８は、Ｘ方向と直交する方向（ＹＺ平面）に沿って延び、Ｘ方向に隙間としての中間通路Ｐ５をあけて互いに平行に設けられた一対の壁部１８ａを有する。中間通路Ｐ５におけるＹ方向の一端部は、導入通路Ｐ１と接続され、Ｙ方向の他端部は、排出通路Ｐ２と接続されている。
【００４１】
本実施形態では、導入口１０ｓから接続通路Ｐ６を経由して導入口５ｓ（図１参照）からパック筐体５内に導入された流体（冷却風）は、導入通路Ｐ１を経由して中間通路Ｐ３，Ｐ４，Ｐ５のそれぞれに分配される。そして、中間通路Ｐ３，Ｐ４，Ｐ５のそれぞれで電池モジュール３と熱交換を行い、排出通路Ｐ２で集約されて排出口５ｔ，１０ｔから排出される。なお、本実施形態では、ガイド部材１８（図３，４参照）がパック筐体５の底壁５ｅ側に設けられたが、この例には限定されず、例えば、天壁５ｆ側に設けられてもよいし、底壁５ｅおよび天壁５ｆの両側に設けられてもよい。また、ガイド部材１８には、一対の壁部１８ａの間に亘り、中間通路Ｐ５の電池モジュール３とは反対側を覆う接続部が設けられてもよい。
【００４２】
また、本実施形態では、後壁５ｂと後壁１０ｂとの間には、排出口５ｔ，１０ｔの周縁部から流体（冷却風）が漏れるのを抑制するシール部材９が設けられている。シール部材９は、例えば、パッキンや、ガスケット等であり、排出口５ｔ，１０ｔの周縁部に沿った長方形状の枠状に構成されている。パック筐体５は、シール部材９を介してラック筐体１０と結合されている。なお、本実施形態では、排出口５ｔおよび導入口５ｓのＺ方向に沿った高さ（図３参照）は、電池モジュール３のＺ方向に沿った高さよりも大きく設定されている。また、排出口５ｔの開口面積は、導入口５ｓの開口面積よりも大きく設定されている。
【００４３】
以上のように、本実施形態では、例えば、左壁５ｃ（第一覆部）と電池モジュール３との間には、左壁５ｃに沿って延びＸ方向の一端部Ｐ１ａが閉じられＸ方向の他端部Ｐ１ｂが流体の導入口５ｓ（第一導入口）と接続された導入通路Ｐ１が設けられ、右壁５ｄ（第二覆部）と電池モジュール３との間には、右壁５ｄに沿って延びＸ方向の他端部Ｐ２ｂが閉じられＸ方向の一端部Ｐ２ａが流体の排出口５ｔ（第一排出口）と接続された排出通路Ｐ２が設けられ、Ｘ方向に隣接した二つの電池モジュール３の間には、導入通路Ｐ１と排出通路Ｐ２との間に亘って延びた中間通路Ｐ３が設けられている。このような構成によれば、例えば、中間通路Ｐ３が無い従来構造と比べて、電池モジュール３の周囲のより広い範囲で流体と熱交換を行うことができるようになるため、複数の電池モジュール３の冷却性がより高まりやすい。また、例えば、対角線上に位置された導入口５ｓおよび排出口５ｔや、導入通路Ｐ１、排出通路Ｐ２、中間通路Ｐ３等によって、複数の電池モジュール３の冷却効果がより高まったり、冷却効果のばらつきが抑制されたりしうる。
【００４４】
また、本実施形態では、例えば、電池パック４は、左壁５ｃおよび右壁５ｄを有し、導入口５ｓおよび排出口５ｔが設けられ、複数の電池モジュール３を収容したパック筐体５（第二筐体）を備えている。このような構成によれば、例えば、パック筐体５によって、導入通路Ｐ１、排出通路Ｐ２、および中間通路Ｐ３が比較的容易に得られるとともに、各通路Ｐ１〜Ｐ３を流れる流体と電池モジュール３との熱交換がより効果的に行われうる。
【００４５】
また、本実施形態では、例えば、電池モジュール３は、複数の電池セル２と、複数の電池セル２を収容したモジュール筐体６（第三筐体）と、複数の電池セル２と電気的に接続され、モジュール筐体６から導入通路Ｐ１内に突出した状態に設けられた出力端子部７と、を有する。このような構成によれば、例えば、出力端子部７が排出通路Ｐ２や中間通路Ｐ３等に位置された場合と比べて、より導入口５ｓ側（上流側）の冷たい流体と熱交換を行うことができるため、出力端子部７の冷却性を高めることができる。
【００４６】
また、本実施形態では、例えば、ラック筐体１０には、導入口１０ｓ（第二導入口）と、導入口５ｓと導入口１０ｓとを接続する接続通路Ｐ６と、が設けられ、電池パック４は、複数の電池モジュール３の出力端子部７と電気的に接続され、接続通路Ｐ６に臨んで位置された外部接続端子８を備えている。このような構成によれば、例えば、外部接続端子８が接続通路Ｐ６を流れるより上流側の冷たい流体と熱交換を行うことができるため、外部接続端子８の冷却性を高めることができる。
【００４７】
また、本実施形態では、例えば、ラック筐体１０には、排出口５ｔと連通する排出口１０ｔが設けられ、排出口５ｔの周縁部と排出口１０ｔの周縁部とが、シール部材９を介して互いに結合されている。このような構成によれば、例えば、シール部材９によって、流体が導入通路Ｐ１、中間通路Ｐ３、および排出通路Ｐ２を経由せずに排出口１０ｔから排出されるのが抑制され、ひいては複数の電池モジュール３の冷却効果がより一層高まりやすい。
【００４８】
［第２実施形態］
図５は、電池装置１Ａの断面図であり、図６は、図５のVI−VI断面図である。図５，６に示される実施形態の電池装置１Ａは、上記第１実施形態の電池装置１と同様の構成を備えている。よって、本実施形態によっても、上記第１実施形態と同様の構成に基づく同様の効果が得られる。
【００４９】
ただし、本実施形態では、例えば、図５，６に示されるように、導入通路Ｐ１がラック筐体１０の側壁１０ｃと電池モジュール３との間に設けられている点が、上記第１実施形態と相違している。本実施形態では、パック筐体５の左壁５ｃには、Ｙ方向の一方からパック筐体５内に流体を導入可能な開口部５ｃ１が設けられている。導入通路Ｐ１は、側壁１０ｃおよび電池モジュール３のそれぞれの一端面６ｄ１に沿って、すなわちＸ方向およびＺ方向に沿って、広がっている。そして、左壁５ｃのＸ方向の他端部と側壁１０ｃとの間に、導入口５ｓ１が設けられている。なお、開口部５ｃ１のＸ方向に沿った長さ（図５参照）は、複数の電池モジュール３のＸ方向に沿った長さの合計よりも大きい。また、開口部５ｃ１のＺ方向に沿った高さ（図６参照）は、電池モジュール３のＺ方向に沿った高さよりも大きい。側壁１０ｃは、第一覆部の一例であり、開口部５ｃ１は、第一開口部の一例である。
【００５０】
このように、本実施形態では、例えば、電池装置１Ａは、複数の電池モジュール３を収容したパック筐体５（第二筐体）と、少なくとも側壁１０ｃ（第一覆部）を有したラック筐体１０（第一筐体）と、を備え、パック筐体５には、側壁１０ｃ側からパック筐体５内に流体を導入可能な開口部５ｃ１（第一開口部）が設けられている。このような構成によれば、例えば、パック筐体５およびラック筐体１０によって、導入通路Ｐ１、排出通路Ｐ２、および中間通路Ｐ３が比較的容易に得られるとともに、各通路Ｐ１〜Ｐ３を流れる流体と電池モジュール３との熱交換がより効果的に行われうる。なお、電池装置１Ａは、この例には限定されず、例えば、パック筐体５が導入通路Ｐ１側の第一覆部を構成し、ラック筐体１０が排出通路Ｐ２側の第二覆部を構成してもよいし、ラック筐体１０が第一覆部および第二覆部の双方を構成してもよい。
【００５１】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００５２】
１，１Ａ…電池装置、２…電池セル、３…電池モジュール、４…電池パック（電池装置）、５…パック筐体（第二筐体）、５ｃ…左壁（第一覆部）、５ｃ１…開口部（第一開口部）、５ｄ…右壁（第二覆部）、５ｓ，５ｓ１…導入口（第一導入口）、５ｔ…排出口（第二排出口）、６…モジュール筐体（第三筐体）、６ｄ１…一端面、６ｆ１…他端面、７…出力端子部、８…外部接続端子、９…シール部材、１０…ラック筐体（第一筐体）、１０ｃ…側壁（第一覆部）１０ｓ…導入口（第二導入口）、１０ｔ…排出口（第二排出口）、１５…棚部、Ｐ１…導入通路、Ｐ１ａ…一端部、Ｐ１ｂ…他端部、Ｐ２…排出通路、Ｐ２ａ…一端部、Ｐ２ｂ…他端部、Ｐ３，Ｐ４，Ｐ５…中間通路、Ｐ６…接続通路、Ｘ…第一方向、Ｙ…第二方向。
【図１】
2019145245.tif 000003
【図２】
2019145245.tif 000004
【図３】
2019145245.tif 000005
【図４】
2019145245.tif 000006
【図５】
2019145245.tif 000007
【図６】
2019145245.tif 000008